(57)【特許請求の範囲】
【請求項１】
一端が閉鎖され他端に開口が形成された硬質材から成る筒体容器内に水溶性の液状の薬剤又は水溶性の薬剤と該薬剤の飽和水溶液とが充填され、筒体容器内に空気層を含まず、開口が多孔質膜によって覆われた薬剤徐放カートリッジと、シャワーヘッドとを備え、薬剤徐放カートリッジは開口を上流側へ向けてシャワーヘッドの通水路内に配設され、薬剤徐放カートリッジと通水路壁との間に環状隙間が形成され、更に、薬剤徐放カートリッジを上流側ヘ付勢する付勢手段と、シャワーヘッドの通水路内に且つ薬剤徐放カートリッジの上流に配設され前記通水路を塞ぐ弁部材とを備え、弁部材には薬剤徐放カートリッジの開口に対峙する弁体と弁体の近傍に配設された開口とが形成され、シャワーヘッドの止水時に薬剤徐放カートリッジの前記他端が弁部材の弁体に当接して開口が弁体によって閉鎖され、シャワーヘッドの通水時に弁部材の開口を通って流れる水の水圧によって薬剤徐放カートリッジが下流側へ移動し薬剤徐放カートリッジの前記他端が弁部材の弁体から離れて薬剤徐放カートリッジの開口が開放されることを特徴とする薬剤徐放機能付シャワーヘッド。
【請求項２】
薬剤徐放カートリッジに、弁部材の開口を通って流れる水を薬剤徐放カートリッジの開口ヘ導く案内部材が取り付けられていることを特徴とする請求項１に記載の薬剤徐放機能付シャワーヘッド。
【請求項３】
前記案内部材が弁部材の開口に常時係合していることを特徴とする請求項２に記載の薬剤徐放機能付シャワーヘッド。
【請求項４】
弁部材の開口が、薬剤徐放カートリッジの開口へ差し向けられていることを特徴とする請求項１に記載の薬剤徐放機能付シャワーヘッド。
【請求項５】
薬剤徐放カートリッジに、弁部材に常時係合する案内部材が取り付けられていることを特徴とする請求項４に記載の薬剤徐放機能付シャワーヘッド。
【請求項６】
薬剤徐放カートリッジに充填された薬剤がアスコルビン酸であることを特徴とする請求項１乃至５の何れか１項に記載の薬剤徐放機能付シャワーヘッド。
【発明の詳細な説明】
【０００１】
【発明の属する技術分野】
本発明は薬剤徐放機能付シャワーヘッドに関するものである。本発明におけるシャワーヘッドは、浴用のシャワーヘッドのみならず器具洗浄用放水ノズル、洗車用放水ノズル等をも含む概念である。
【０００２】
【従来の技術】
特開平５−２９３０５３号、特開平６−２９６９０２号に、以下に示す構造の薬剤徐放機能付シャワーヘッドが開示されている。
▲１▼  流入口流出口兼用の開口を有する水溶性の薬剤が充填されたカートリッジが、シャワーヘッドの外部に装着され、カートリッジの開口がシャワーヘッドの囲壁に形成された開口を介してシャワーヘッド内部の流路に連通している（特開平５−２９３０５３号  図４、７、８）。
▲２▼  流入口流出口兼用の開口を有する水溶性の薬剤が充填されたカートリッジが、シャワーヘッドの囲壁に形成した開口に嵌合し、カートリッジの開口が、シャワーヘッド内部の流路に連通している（特開平５−２９３０５３号  図５、６）。
▲３▼  一端が閉鎖され他端の中央部に流入口流出口兼用の開口が形成された筒状のカートリッジを内蔵する両端開放の筒状容器が、シャワーヘッドの流入口に接続されている。カートリッジには水溶性の薬剤が充填されている。カートリッジの側壁と筒状容器の側壁との間には環状の流路が形成され、カートリッジは、流入口流出口兼用の開口を上流側へ向けて、筒状容器内に配設されている（特開平５−２９３０５３号  図９）。
▲４▼  流入口と流出口とを有する水溶性の薬剤が充填されたカートリッジが、シャワーヘッドに装着され、カートリッジの流入口と流出口とが、シャワーヘッド内部の流路に連通している（特開平５−２９３０５３号  図１２、１３、１４、特開平６−２９６９０２号  図１、２、３）。
【０００３】
上記▲１▼、▲２▼の薬剤徐放機能付シャワーヘッドにおいては、シャワーヘッド内部の流路を流れる水が、流入口流出口兼用の開口を通ってカートリッジ内へ流入し、カートリッジに充填された水溶性の薬剤を徐々に溶かし、流入口流出口兼用の開口を介して、薬剤を流水中に徐放させる。
上記▲３▼の薬剤徐放機能付シャワーヘッドにおいては、筒状容器内を流れる水が、流入口流出口兼用の開口を通ってカートリッジ内へ流入し、カートリッジに充填された水溶性の薬剤を徐々に溶かし、流入口流出口兼用の開口を介して、薬剤を流水中に徐放させる。
上記▲４▼の薬剤徐放機能付シャワーヘッドにおいては、シャワーヘッド内部の流路を流れる水が、流入口を通ってカートリッジ内へ流入し、カートリッジに充填された水溶性の薬剤を徐々に溶かし、流出口を介して、薬剤を流水中に徐放させる。
【０００４】
【発明が解決しようとする課題】
上記▲１▼〜▲４▼の薬剤徐放機能付シャワーヘッドには、カートリッジ内に混入した空気が、シャワーの使用開始、使用停止に伴うカートリッジ内部の圧力変動によって膨張、収縮し、カートリッジ内の薬剤が過剰に放出されるおそれがあるという問題がある。また、カートリッジが軟質材で形成されている場合には、シャワーの使用開始、使用停止に伴うカートリッジ内部の圧力変動によってカートリッジが膨張、収縮し、或いは、使用者がシャワーヘッドの外部に装着されたカートリッジに圧迫を加えることによりカートリッジが収縮し、カートリッジ内の薬剤が過剰に放出されるおそれがあるという問題がある。
本発明は上記の問題点に鑑みてなされたものであり、シャワーの使用中に薬剤が充填されたカートリッジから薬剤が流水中ヘ過剰に放出されるおそれが無く、、薬剤の流水中への安定した徐放が保証され、シャワーの不使用時にカートリッジからの薬剤の流出が防止された、薬剤徐放機能付シャワーヘッドを提供することを目的とする。
【０００５】
【課題を解決するための手段】
前記課題を解決するために、本発明においては、一端が閉鎖され他端に開口が形成された硬質材から成る筒体容器内に水溶性の液状の薬剤又は水溶性の薬剤と該薬剤の飽和水溶液とが充填され、筒体容器内に空気層を含まず、開口が多孔質膜によって覆われた薬剤徐放カートリッジと、シャワーヘッドとを備え、薬剤徐放カートリッジは開口を上流側へ向けてシャワーヘッドの通水路内に配設され、薬剤徐放カートリッジと通水路壁との間に環状隙間が形成され、更に、薬剤徐放カートリッジを上流側ヘ付勢する付勢手段と、シャワーヘッドの通水路内に且つ薬剤徐放カートリッジの上流に配設され前記通水路を塞ぐ弁部材とを備え、弁部材には薬剤徐放カートリッジの開口に対峙する弁体と弁体の近傍に配設された開口とが形成され、シャワーヘッドの止水時に薬剤徐放カートリッジの前記他端が弁部材の弁体に当接して開口が弁体によって閉鎖され、シャワーヘッドの通水時に弁部材の開口を通って流れる水の水圧によって薬剤徐放カートリッジが下流側へ移動し薬剤徐放カートリッジの前記他端が弁部材の弁体から離れて薬剤徐放カートリッジの開口が開放されることを特徴とする薬剤徐放機能付シャワーヘッドを提供する。
【０００６】
上記薬剤徐放機能付シャワーヘッドにおいては、シャワーの不使用時、すなわちシャワーヘッドの止水時には、付勢手段で付勢された薬剤徐放カートリッジが上流側へ移動しカートリッジの端部が弁部材の弁体に当接して薬剤徐放カートリッジの開口が弁体によって閉鎖され、薬剤徐放カートリッジからの薬剤の流出が防止される。
シャワーの使用時、すなわちシャワーヘッドの通水時に、弁部材の開口を通って流れる水の水圧によって付勢手段の付勢力に逆らって薬剤徐放カートリッジが下流側へ移動し、薬剤徐放カートリッジの端部が弁部材の弁体から離れて薬剤徐放カートリッジの開口が開放される。シャワーヘッドの通水路から、薬剤徐放カートリッジの開口を通って、薬剤徐放カートリッジ内に水が侵入し、薬剤徐放カートリッジ内の水溶性の液状の薬剤又は水溶性の薬剤の飽和水溶液が、前記開口を通って、シャワーヘッドの通水路へ放出される。薬剤徐放カートリッジの開口は多孔質膜によって覆われており、薬剤徐放カートリッジ内には圧力変動によって体積が変化する空気が存在せず、薬剤徐放カートリッジは硬質材で形成され外圧を加えても変形しないので、薬剤徐放カートリッジ内の水と水溶性の液状の薬剤又は水溶性の薬剤の飽和水溶液の流れが安定する。この結果、薬剤徐放カートリッジ内の水溶性の液状の薬剤又は水溶性の薬剤の飽和水溶液は、シャワーの使用中に過剰放出されることなく安定してシャワーヘッドの通水路内を流れる水に徐放される。
【０００７】
薬剤徐放カートリッジに、弁部材の開口を通って流れる水を薬剤徐放カートリッジの開口ヘ導く案内部材を取り付けることにより、シャワー使用時に、薬剤徐放カートリッジへ水を確実に侵入させ、薬剤徐放カートリッジ内の薬剤を確実に徐放させることができる。
薬剤徐放カートリッジに取り付けた案内部材を弁部材の開口に常時係合させ、薬剤徐放カートリッジが移動する際のガイドとして機能させることにより、薬剤徐放カートリッジの開口と弁部材の弁体、開口とが常に正規の相対位置関係に保たれ、シャワー不使用時に薬材徐放カートリッジからの薬剤の流失が確実に防止され、シャワー使用時に薬剤徐放カートリッジから薬剤が安定して徐放される。
【０００８】
弁部材の開口を、薬剤徐放カートリッジの開口へ差し向けることにより、シャワー使用時に、薬剤徐放カートリッジへ水を確実に侵入させ、薬剤徐放カートリッジ内の薬剤を確実に徐放させることができる。
薬剤徐放カートリッジに、弁部材に常時係合する案内部材を取り付け、薬剤徐放カートリッジが移動する際のガイドとして機能させることにより、薬剤徐放カートリッジの開口と弁部材の弁体、開口とが常に正規の相対位置関係に保たれ、シャワー不使用時に薬材徐放カートリッジからの薬剤の流失が確実に防止され、シャワー使用時に薬剤徐放カートリッジから薬剤が安定して徐放される。
【０００９】
アスコルビン酸とアスコルビン酸の飽和水溶液とを薬剤徐放カートリッジに充填することにより、シャワーヘッドから散水される水道水から残留塩素を除去し、シャワー使用者の快適感を増大させることができる。
【００１０】
【発明の実施の形態】
本発明の第１実施例に係る薬剤徐放機能付浴用シャワーヘッドを図１〜５に基づいて説明する。
図１に示すように、シャワーヘッドは、第１円筒体１と、第１円筒体１の下流端に螺合する第２円筒体２と、第２円筒体２の下流端にビス止めされる散水多孔板３とを有している。第１円筒体１の内部空間と、第２円筒体２の内部空間とは、通水路を形成している。第１筒体１の上流端は、図示しない給水ホースに連結されている。
図１、２に示すように、第１円筒体１の上流端部に、通水路を塞いで、円筒状の弁部材４が緊密に内嵌合している。図３に示すように、弁部材４の下流端に、長円状の端壁４ａ1 が形成され、端壁４ａ1 の両側に端壁４ａ1 に隣接して半月状の開口４ｂ1 、４ｂ2 が形成され、端壁４ａ1 に同一形状のパッキン４ａ2 が接着固定されている。端壁４ａ1 とパッキン４ａ2 とにより、弁体４ａが形成されている。
図１に示すように、第２円筒体２の上流端に、円筒状のバネガイド５が緊密に内嵌合している。バネガイド５の下流端に蓮根状のブッシュ６が内嵌合している。バネガイド５とブッシュ６とに挟持されて、付勢手段であるコイルバネ７が配設されている。コイルバネ７の上流端は、第１円筒体１内まで延びている。
【００１１】
図１に示すように、通水路内に、且つブッシュ６と弁部材４との間に、薬剤徐放カートリッジ８が挿入されている。薬剤徐放カートリッジ８は、図１、２、４に示すように、アクリル樹脂等の硬質材料から成り、一端が閉鎖され他端が開放された円筒体８ａと、円筒体８ａの開放端を覆う硬質材料からなるカバー８ｂと、カバー８ｂに形成された、弁部材４の弁体４ａよりも僅かに小さな長円形の開口８ｂ1 、に嵌め込まれてカバー８に接着固定された長円形の多孔質膜８ｃとにより構成されている。
図１、２に示すように、薬剤徐放カートリッジ８は、カバー８ｂと多孔質膜８ｃとで覆われた開放端を上流側へ向けて通水路内に挿入されている。通水路壁と薬剤徐放カートリッジ８との間に、環状隙間が形成されている。薬剤徐放カートリッジ８はコイルバネ７により上流側へ付勢されている。
薬剤徐放カートリッジ８は、アスコルビン酸の粉末とアスコルビン酸飽和水溶液とによって満たされており、薬剤徐放カートリッジ８内には圧縮性の空気は存在しない。薬剤徐放カートリッジ８の製造工程において、脱気した純水を用い、且つ、空気の混入を防止しつつ円筒体８ａの開放端をカバー８ｂと多孔質膜８ｃとで覆うことにより、薬剤徐放カートリッジ８から空気を完全に排除することができる。
【００１２】
図１、２に示すように、カバー８ｂに円板状の案内部材９が接着固定されている。図１、２、５に示すように、案内部材９には、カバー８ｂの開口８ｂ1 よりも僅かに大きく、且つ弁部材４の弁体４ａよりも僅かに大きな、長円形の開口９ａが形成されている。開口９ａは開口８ｂ1 に正対している。案内部材９のカバー８ｂに接着固定された下流側端面には、開口９ａの縁部から外縁部まで延びる４本の溝９ｂが形成されている。案内部材９の上流側端面には、開口９ａの両側に開口９ａに隣接して開口９ａへ向かう半月状の傾斜面９ｃ1 、９ｃ2 が形成されている。傾斜面９ｃ1 、９ｃ2 の上流端から、円弧状断面を有する脚部９ｄ1 、９ｄ2 が上流側へ延びている。脚部９ｄ1 、９ｄ2 は、弁部材４の半月状の開口４ｂ1 、４ｂ2 に係合している。脚部９ｄ1 、９ｄ2 が、弁部材４の半月状の開口４ｂ1 、４ｂ2 に係合した状態で、弁部材４の弁体４ａが、カバー８ｂの開口８ｂ1 と案内部材９の開口９ａとに正対している。
【００１３】
上記構成を有する薬剤徐放機能付浴用シャワーヘッドの作動を説明する。
シャワーの不使用時、すなわち薬剤徐放機能付浴用シャワーヘッドの不通水時には、図１、２の左半部分に示すように、薬剤徐放カートリッジ８がコイルバネ７の付勢力を受けて上流側へ移動し、案内部材９の脚部９ｄ1 、９ｄ2 の基部が弁部材４の半月状の開口４ｂ1 、４ｂ2 に係合し、弁部材４の弁体４ａが案内部材９の開口９ａを通って、薬剤徐放カートリッジ８のカバー８ｂに当接し、カバー８ｂの開口８ｂ1 を閉鎖している。この結果、シャワーの不使用時には、薬剤徐放カートリッジ８からのアスコルビン酸の流出が防止される。
シャワーの使用時、すなわち薬剤徐放機能付浴用シャワーヘッドの通水時には、図１、２の右半部分に示すように、弁部材４の開口４ｂ1 、４ｂ2 を通って流れる水道水の水圧により、コイルバネ７の付勢力に逆らって薬剤徐放カートリッジ８が下流側へ移動し、案内部材９の脚部９ｄ1 、９ｄ2 の先端部が弁部材４の半月状の開口４ｂ1 、４ｂ2 に係合し、薬剤徐放カートリッジ８のカバー８ｂが弁部材４の弁体４ａから離れ、薬剤徐放カートリッジ８の開口８ｂ1 が開放される。図１、２の右半部分で矢印で示すように、弁部材４の開口４ｂ1 、４ｂ2 を通った水道水が、案内部材９の脚部９ｄ1 、９ｄ2 と斜面９ｃ1 、９ｃ2 とに案内されて、開口９ａへ向かって流れる。開口９ａに達した水道水の一部は、開口９ａと開口８ｂ1 とを通って、薬剤徐放カートリッジ８内へ流入し、残余の部分は、溝９ｂを通って薬剤徐放カートリッジ８と通水路壁との間の環状の隙間へ流入する。
【００１４】
薬剤徐放カートリッジ８内へ流入した水道水は、図１、２で矢印で示すように、薬剤徐放カートリッジ８の中心部を閉鎖端へ向かって進みつつ径方向へ拡散し、流れの方向を変え、薬剤徐放カートリッジ８の囲壁に沿う円筒状の流れとなって、薬剤徐放カートリッジ８の開放端へ向かって進む。薬剤徐放カートリッジ８内のアスコルビン酸が水道水中に溶解し、水道水はアスコルビン酸飽和水溶液となる。アスコルビン酸飽和水溶液は、薬剤徐放カートリッジ８の開口８ｂ1 の周縁から外部へ流出し、案内部材９の溝９ｂを通る水道水に混入して、薬剤徐放カートリッジ８と通水路壁との間の環状の隙間へ流入する。
水道水に混入したアスコルビン酸により、水道水中の残留塩素が除去される。塩素臭が除去された水道水が、薬剤徐放カートリッジ８と通水路壁との間の環状の隙間を通り、更に蓮根状のブッシュ６を通り、散水多孔板３を通って吐出する。
【００１５】
本実施例に係る薬剤徐放機能付浴用シャワーヘッドにおいては、薬剤徐放カートリッジ８の開口８ｂ1 が多孔質膜８ｃによって覆われているので、水道水は徐々に薬剤徐放カートリッジ８内へ流入する。この結果、薬剤徐放カートリッジ８内の水道水とアスコルビン酸飽和水溶液の流れが安定する。薬剤徐放カートリッジ８内には圧力変動によって体積が変化する空気が存在しないので、薬剤徐放カートリッジ８内の水道水とアスコルビン酸飽和水溶液の流れが安定する。薬剤徐放カートリッジ８が硬質材で形成され内外圧差による変形を生じないので薬剤徐放カートリッジ８内の水道水とアスコルビン酸飽和水溶液の流れが安定する。この結果、薬剤徐放カートリッジ８内のアスコルビン酸飽和水溶液は、シャワーの使用中に過剰放出されることなく、案内部材９の溝９ｂを通る水道水中に安定して徐放される。
【００１６】
薬剤徐放カートリッジ８に接着固定された案内部材９の斜面９ｃ1 、９ｃ2 と脚部９ｄ1 、９ｄ2 とが、弁部材４の開口４ｂ1 、４ｂ2 を通って流れる水道水を薬剤徐放カートリッジ８の開口８ｂ1 ヘ導くので、シャワー使用時に、薬剤徐放カートリッジ８へ水道水が確実に侵入し、薬剤徐放カートリッジ８内のアスコルビン酸が確実に徐放される。
薬剤徐放カートリッジ８に接着固定された案内部材９の脚部９ｄ1 、９ｄ2 が弁部材４の開口４ｂ1 、４ｂ2 に常時係合し、薬剤徐放カートリッジ８が移動する際のガイドとして機能するので、薬剤徐放カートリッジ８の開口８ｂ1 と弁部材４の弁体４ａ、開口４ｂ1 、４ｂ2 とが、常に正規の相対位置関係に保たれる。この結果、シャワー不使用時に薬材徐放カートリッジ８からのアスコルビン酸の流失が確実に防止され、シャワー使用時に薬剤徐放カートリッジ８からアスコルビン酸が安定して徐放される。
【００１７】
本発明の第２実施例に係る薬剤徐放機能付浴用シャワーヘッドを図６〜８に基づいて説明する。
本実施例に係る薬剤徐放機能付浴用シャワーヘッドにおいては、薬剤徐放カートリッジ８の円筒体８ａの開放端を覆う硬質材料からなるカバー８ｂに、長円形の開口８ｂ1 に加えて、上流側ヘ延びる２本の案内脚８ｂ2 が形成されている。長円形の開口８ｂ1 には長円形の多孔質膜８ｃが嵌め込まれて接着固定されている。円筒状の弁部材４の下流端に、長円形の端壁４ａ1 に代えて円形の端壁４ａ3 が形成され、端壁４ａ3 に長円形のパッキン４ａ2 が接着固定されて弁体４ａを形成している。弁体４ａの両側に、開口４ｂ1 、４ｂ2 に代えて、それぞれ３個の開口４ｂ3 が形成されている。開口４ｂ3 は、カバー８ｂの長円形の開口８ｂ1 へ差し向けられており、端壁４ａ3 を斜めに貫通している。弁部材４の円筒部の外面に、長手方向に延在する２本の溝４ｃが形成されている。弁部材４の溝４ｃにカバー８ｂの案内脚８ｂ2 が係合している。案内部材９は配設されてない。上記を除き、本実施例に係る薬剤徐放機能付浴用シャワーヘッドは、第１実施例に係る薬剤徐放機能付浴用シャワーヘッドと同一の構造を有している。
【００１８】
本実施例に係る薬剤徐放機能付浴用シャワーヘッドにおいては、シャワーの不使用時、すなわち薬剤徐放機能付浴用シャワーヘッドの止水時には、図６の左半部分に示すように、カバー８ｂの案内脚８ｂ2 の略全体が弁部材４の溝４ｃに係合し、弁部材４の弁体４ａが薬剤徐放カートリッジ８のカバー８ｂに当接し、カバー８ｂの開口８ｂ1 を閉鎖している。この結果、シャワーの不使用時には、薬剤徐放カートリッジ８からのアスコルビン酸の流出が防止される。
シャワーの使用時、すなわち薬剤徐放機能付浴用シャワーヘッドの通水時には、図６の右半部分に示すように、弁部材４の開口４ｂ3 を通って流れる水道水の水圧により、コイルバネの付勢力に逆らって薬剤徐放カートリッジ８が下流側へ移動し、カバー８ｂの案内脚８ｂ2 の先端部が弁部材４の溝溝４ｃに係合し、薬剤徐放カートリッジ８のカバー８ｂが弁部材４の弁体４ａから離れ、薬剤徐放カートリッジ８の開口８ｂ1 が開放される。図６の右半部分で矢印で示すように、薬剤徐放カートリッジ８の開口８ｂ1 へ差し向けられた弁部材４の開口４ｂ3 を通った水道水が、薬剤徐放カートリッジ８の開口８ｂ1 へ向かって流れ、一部が開口８ｂ1 を通って薬剤徐放カートリッジ８内へ流入し、残余の部分はカバー８ｂに沿って径方向外方へ流れて薬剤徐放カートリッジ８と通水路壁との間の環状の隙間へ流入する。薬剤徐放カートリッジ８内のアスコルビン酸飽和水溶液が開口８ｂ1 の周縁から外部へ流出し、カバー８ｂに沿って径方向外方へ流れる水道水に混入して、薬剤徐放カートリッジ８と通水路壁との間の環状の隙間へ流入する。水道水に混入したアスコルビン酸により、水道水中の残留塩素が除去される。塩素臭が除去された水道水が、薬剤徐放カートリッジ８と通水路壁との間の環状の隙間を通り、蓮根状のブッシュを通り、散水多孔板を通って吐出する。
【００１９】
薬剤徐放カートリッジ８の開口８ｂ1 へ差し向けられた弁部材４の開口４ｂ3 が、水道水を薬剤徐放カートリッジ８の開口８ｂ1 ヘ導くので、シャワー使用時に、薬剤徐放カートリッジ８へ水道水が確実に侵入し、薬剤徐放カートリッジ８内のアスコルビン酸が確実に徐放される。
薬剤徐放カートリッジ８に接着固定されたカバー８の案内脚８ｂ2 が弁部材４の溝４ｃに常時係合し、薬剤徐放カートリッジ８が移動する際のガイドとして機能するので、薬剤徐放カートリッジ８の開口８ｂ1 と弁部材４の弁体４ａ、開口４ｂ3 とが、常に正規の相対位置関係に保たれる。この結果、シャワー不使用時に薬材徐放カートリッジ８からのアスコルビン酸の流失が確実に防止され、シャワー使用時に薬剤徐放カートリッジ８からアスコルビン酸が安定して徐放される。
【００２０】
以上本発明の実施例を説明したが、本発明は上記実施例に限定されない。
本発明に係る薬剤徐放機能付シャワーヘッドは、浴用シャワーヘッドに限定されない。本発明に係る薬剤徐放機能付シャワーヘッドは、薬剤徐放機能付器具洗浄用放水ノズル、薬剤徐放機能付洗車用放水ノズル等をも含む。薬剤徐放機能付器具洗浄用放水ノズル、薬剤徐放機能付洗車用放水ノズルに取り付けられる薬剤徐放カートリッジには、界面活性剤のような洗浄剤が充填される。
薬剤徐放カートリッジに充填される薬剤は、アスコルビン酸に限定されない。粉末状、粒状、液状のハーブ、芳香剤、殺菌剤、漢方薬、乳液、ｐＨ調整剤、洗浄剤、界面活性剤等を充填しても良い。
【００２１】
【発明の効果】
上記説明から分かるごとく、本発明に係る薬剤徐放機能付シャワーヘッドにおいては、シャワーの不使用時、すなわちシャワーヘッドの止水時には、付勢手段で付勢された薬剤徐放カートリッジが上流側へ移動しカートリッジの端部が弁部材の弁体に当接して薬剤徐放カートリッジの開口が弁体によって閉鎖され、薬剤徐放カートリッジからの薬剤の流出が防止される。
シャワーの使用時、すなわちシャワーヘッドの通水時に、弁部材の開口を通って流れる水の水圧によって付勢手段の付勢力に逆らって薬剤徐放カートリッジが下流側へ移動し、薬剤徐放カートリッジの端部が弁部材の弁体から離れて薬剤徐放カートリッジの開口が開放される。シャワーヘッドの通水路から、薬剤徐放カートリッジの開口を通って、薬剤徐放カートリッジ内に水が侵入し、薬剤徐放カートリッジ内の水溶性の液状の薬剤又は水溶性の薬剤の飽和水溶液が、前記開口を通って、シャワーヘッドの通水路へ放出される。薬剤徐放カートリッジの開口は多孔質膜によって覆われており、薬剤徐放カートリッジ内には圧力変動によって体積が変化する空気が存在せず、薬剤徐放カートリッジは硬質材で形成され外圧を加えても変形しないので、薬剤徐放カートリッジ内の水と水溶性の液状の薬剤又は水溶性の薬剤の飽和水溶液の流れが安定する。この結果、薬剤徐放カートリッジ内の水溶性の液状の薬剤又は水溶性の薬剤の飽和水溶液は、シャワーの使用中に過剰放出されることなく安定してシャワーヘッドの通水路内を流れる水に徐放される。
【００２２】
薬剤徐放カートリッジに、弁部材の開口を通って流れる水を薬剤徐放カートリッジの開口ヘ導く案内部材を取り付けることにより、シャワー使用時に、薬剤徐放カートリッジへ水を確実に侵入させ、薬剤徐放カートリッジ内の薬剤を確実に徐放させることができる。
薬剤徐放カートリッジに取り付けた案内部材を弁部材の開口に常時係合させ、薬剤徐放カートリッジが移動する際のガイドとして機能させることにより、薬剤徐放カートリッジの開口と弁部材の弁体、開口とが常に正規の相対位置関係に保たれ、シャワー不使用時に薬材徐放カートリッジからの薬剤の流失が確実に防止され、シャワー使用時に薬剤徐放カートリッジから薬剤が安定して徐放される。
【００２３】
弁部材の開口を、薬剤徐放カートリッジの開口へ差し向けることにより、シャワー使用時に、薬剤徐放カートリッジへ水を確実に侵入させ、薬剤徐放カートリッジ内の薬剤を確実に徐放させることができる。
薬剤徐放カートリッジに、弁部材に常時係合する案内部材を取り付け、薬剤徐放カートリッジが移動する際のガイドとして機能させることにより、薬剤徐放カートリッジの開口と弁部材の弁体、開口とが常に正規の相対位置関係に保たれ、シャワー不使用時に薬材徐放カートリッジからの薬剤の流失が確実に防止され、シャワー使用時に薬剤徐放カートリッジから薬剤が安定して徐放される。
【００２４】
アスコルビン酸とアスコルビン酸の飽和水溶液とを薬剤徐放カートリッジに充填することにより、シャワーヘッドから散水される水道水から残留塩素を除去し、シャワー使用者の快適感を増大させることができる。
【図面の簡単な説明】
【図１】本発明の第１実施例に係る薬剤徐放機能付浴用シャワーヘッドの縦断面図である。
【図２】図１の上流端近傍の部分拡大図である。
【図３】本発明の第１実施例に係る薬剤徐放機能付浴用シャワーヘッドが備える弁部材の構造図である。（ａ）は下流側の端面を示す図であり、（ｂ）は（ａ）のｂ−ｂ矢視図であり、（ｃ）は（ａ）のｃ−ｃ矢視図であり、（ｄ）は上流側の端面を示す図である。
【図４】本発明の第１実施例に係る薬剤徐放機能付浴用シャワーヘッドが備える薬剤徐放カートリッジのカバーの構造図である。（ａ）は端面を示す図であり、（ｂ）は（ａ）のｂ−ｂ矢視図である。
【図５】本発明の第１実施例に係る薬剤徐放機能付浴用シャワーヘッドが備える案内部材の構造図である。（ａ）は下流側の端面を示す図であり、（ｂ）は（ａ）のｂ−ｂ矢視図であり、（ｃ）は（ａ）のｃ−ｃ矢視図であり、（ｄ）は上流側の端面を示す図である。
【図６】本発明の第２実施例に係る薬剤徐放機能付浴用シャワーヘッドの上流端近傍の拡大縦断面図である。
【図７】本発明の第２実施例に係る薬剤徐放機能付浴用シャワーヘッドが備える弁部材の斜視図である。
【図８】本発明の第２実施例に係る薬剤徐放機能付浴用シャワーヘッドが備える薬剤徐放カートリッジのカバーの斜視図である。
【符号の説明】
１  第１円筒体
２  第２円筒体
３  散水多孔板
４  弁部材
４ａ  弁体
４ｂ1 、４ｂ2 、４ｂ3   開口
４ｃ  溝
７  コイルバネ
８  薬剤徐放カートリッジ
８ａ  円筒体
８ｂ  カバー
８ｂ1   開口
８ｂ2   案内脚
８ｃ  多孔質膜
９  案内部材
９ａ  開口
９ｃ1 、９ｃ2   傾斜面
９ｄ1 、９ｄ2   脚部
【図１】
0003823428.tif 000002
【図２】
0003823428.tif 000003
【図３】
0003823428.tif 000004
【図４】
0003823428.tif 000005
【図５】
0003823428.tif 000006
【図６】
0003823428.tif 000007
【図７】
0003823428.tif 000008
【図８】
0003823428.tif 000009